【手続補正書】
【提出日】令和1年8月13日(2019.8.13)
【手続補正１】
【補正対象書類名】特許請求の範囲
【補正対象項目名】全文
【補正方法】変更
【補正の内容】
【特許請求の範囲】
【請求項１】
患者回路を介して圧縮空気流れを患者へ供給するように構成された呼吸装置の患者回路について回路断線イベントの発生を検出する方法であって、
前記患者回路の種類に基づいて断線設定を決定することと、
前記圧縮空気流れの圧力および流量を１つ以上のセンサーによって検出することと、
前記検出された圧力および流量に基づいて瞬間断線パラメータをプロセッサ内において計算することと、
前記プロセッサを用いて、前記断線設定の関数としての前記瞬間断線パラメータに基づいて回路断線イベントの発生を検出することと、
を含む、方法。
【請求項２】
前記瞬間断線パラメータはコンダクタンス値である、請求項１に記載の方法。
【請求項３】
前記瞬間断線パラメータはインピーダンス値である、請求項１に記載の方法。
【請求項４】
前記断線設定は断線閾値であり、前記回路断線イベントの発生を検出することは、前記計算された瞬間断線パラメータを前記断線閾値と比較することを含む、請求項１〜３のうちいずれか一項に記載の方法。
【請求項５】
前記断線設定はプロファイルであり、前記回路断線イベントの発生を検出することは、複数の計算された瞬間断線パラメータを前記プロファイルと比較することを含む、請求項１〜３のうちいずれか一項に記載の方法。
【請求項６】
患者固有の情報を前記呼吸装置によって受信することおよび前記断線設定の決定の際に前記患者固有の情報を用いることをさらに含む、請求項１〜５のうちいずれか一項に記載の方法。
【請求項７】
前記患者固有の情報は、患者の年齢、体重、身長および患者種類のうち１つ以上を含む、請求項６に記載の方法。
【請求項８】
前記断線設定は、前記呼吸装置のメモリ中に保存されたルックアップテーブルから決定される、請求項１〜７のうちいずれか一項に記載の方法。
【請求項９】
前記患者回路の種類を決定することをさらに含む、請求項１〜８のうちいずれか一項に記載の方法。
【請求項１０】
前記患者回路の種類を前記呼吸装置のユーザインターフェースを介して受信することをさらに含む、請求項１〜８のうちいずれか一項に記載の方法。
【請求項１１】
前記患者回路の種類は、空気回路の構成を含む、請求項１〜１０のうちいずれか一項に記載の方法。
【請求項１２】
前記空気回路の構成は、通気型、非通気型、シングルリムならびにダブルリム、シングルリムならびにダブルリムのうち少なくとも１つである、請求項１１に記載の方法。
【請求項１３】
前記患者回路の種類は、患者インターフェースの種類を含む、請求項１〜１２のうちいずれか一項に記載の方法。
【請求項１４】
前記患者インターフェースの種類は、侵襲的、非侵襲的、通気型、および非通気型のうち少なくとも一項である、請求項１３に記載の方法。
【請求項１５】
回路断線イベントの発生が検出された際、回路断線イベントが発生した旨を信号伝達することをさらに含む、請求項１〜１４のうちいずれか一項に記載の方法。
【請求項１６】
前記回路断線イベントの発生が検出された際、前記回路断線イベントに対する応答を生成することをさらに含む、請求項１〜１５のうちいずれか一項に記載の方法。
【請求項１７】
前記回路断線イベントに対する応答を生成することは、前記呼吸装置のディスプレイ上のメッセージを活性化させることを含む、請求項１６に記載の方法。
【請求項１８】
前記回路断線イベントに対する応答を生成することは、断線警告を活性化させることを含む、請求項１６〜１７のうちいずれか一項に記載の方法。
【請求項１９】
前記呼吸装置のユーザインターフェースは、ユーザ制御により前記断線警告を所定期間にわたってミュートするように構成される、請求項１８に記載の方法。
【請求項２０】
前記回路断線イベントに対する応答を生成することに先行して、連続的に前記回路断線イベントの発生を所定期限まで検出することをさらに含む、請求項１６〜１９のうちいずれか一項に記載の方法。
【請求項２１】
前記所定期限は、５秒〜６０秒の設定時間である、請求項２０に記載の方法。
【請求項２２】
前記所定期限は所定数の呼吸である、請求項２０に記載の方法。
【請求項２３】
前記所定期限は、前記呼吸装置のユーザインターフェースを介して調節可能である、請求項２０〜２２のうちいずれか一項に記載の方法。
【請求項２４】
少なくとも呼吸１回毎に前記瞬間断線パラメータを計算することをさらに含む、請求項１〜２３のうちいずれか一項に記載の方法。
【請求項２５】
前記瞬間断線パラメータを各呼吸の吸気フェーズから計算することをさらに含む、請求項２４に記載の方法。
【請求項２６】
前記瞬間断線パラメータを各呼吸の吸気フェーズから少なくとも１回および各呼吸の呼気フェーズから少なくとも１回計算することをさらに含む、請求項２４に記載の方法。
【請求項２７】
前記瞬間断線パラメータを所定の時間間隔で計算することをさらに含む、請求項１〜２４のうちいずれか一項に記載の方法。
【請求項２８】
感度設定を決定することと、前記感度設定に基づいて前記断線設定を調節することとをさらに含む、請求項１〜２７のうちいずれか一項に記載の方法。
【請求項２９】
デフォルト感度設定に従って前記患者回路の種類に基づいて前記感度設定を決定することをさらに含む、請求項２８に記載の方法。
【請求項３０】
前記感度設定を試験フェーズから決定することをさらに含む、請求項２８に記載の方法。
【請求項３１】
前記試験フェーズは、前記呼吸装置により呼吸治療を前記患者へ提供することに先行して発生する、請求項３０に記載の方法。
【請求項３２】
前記試験フェーズは、前記呼吸装置による前記患者への呼吸治療の提供の最中に発生する、請求項３０に記載の方法。
【請求項３３】
前記回路断線イベントの発生が前記試験フェーズから検出された際、前記回路断線イベントに対する応答を生成することをさらに含む、請求項３０〜３２のうちいずれか一項に記載の方法。
【請求項３４】
前記感度設定は、前記呼吸装置のユーザインターフェースを介して所定範囲の設定から選択可能である、請求項２８〜３３のうちいずれか一項に記載の方法。
【請求項３５】
前記所定範囲の設定は、１％〜１００％の値を含む、請求項３４に記載の方法。
【請求項３６】
前記所定範囲の設定は、５％のインクリメントにて提供される５％〜９５％の値を含む、請求項３５に記載の方法。
【請求項３７】
回路断線イベントの検出のための前記感度設定の値は、前記呼吸装置のディスプレイ上に提供される、請求項２８〜３６のうちいずれか一項に記載の方法。
【請求項３８】
回路断線イベントの発生が検出された際、呼吸インジケータの監視により前記検出された発生を認定することをさらに含む、請求項１〜３７のうちいずれか一項に記載の方法。
【請求項３９】
前記患者が未だ前記患者回路へ接続されている旨を呼吸インジケータが示す場合、前記回路断線イベントの前記検出された発生を偽として認定する、請求項３８に記載の方法。
【請求項４０】
前記患者が未だ前記患者回路へ接続されている旨を呼吸インジケータが示さない場合、前記回路断線イベントの前記検出された発生を真として認定する、請求項３８〜３９のうちいずれか一項に記載の方法。
【請求項４１】
前記呼吸インジケータは、以下の、
（ｉ）呼気労作を示す呼気流、
（ｉｉ）吸気労作を示す吸気流、
（ｉｉｉ）前記吸気フェーズから計算された瞬間断線パラメータを前記呼気フェーズから計算された瞬間パラメータと比較した時の差、
（ｉｖ）前記瞬間断線パラメータと、前記瞬間断線パラメータの先行値の計算された分散との比較、および
（ｖ）呼吸フェーズ内における前記瞬間断線パラメータの経時的な変化量、
のうち一項以上からなる、請求項３８に記載の方法。
【請求項４２】
回路断線イベントの発生が検出された際、前記検出された流量を所定の閾値と比較して前記回路断線イベントの発生を確認することをさらに含む、請求項１〜４１のうちいずれか一項に記載の方法。
【請求項４３】
回路断線イベントの発生の検出の後に前記患者への前記患者回路の再接続を検出することをさらに含む、請求項１〜４２のうちいずれか一項に記載の方法。
【請求項４４】
前記患者回路の前記患者への再接続は、前記瞬間断線パラメータを第２の閾値と比較することにより検出される、請求項４３に記載の方法。
【請求項４５】
前記患者回路の前記患者への再接続は、前記瞬間断線パラメータの急激な変化の検出によって検出される、請求項４３〜４４のうちいずれか一項に記載の方法。
【請求項４６】
前記患者回路を介して圧縮空気流れを患者へ供給するように構成された呼吸装置の患者回路における回路断線イベントの発生を検出する方法であって、
前記圧縮空気流れの圧力および流量を１つ以上のセンサーによって繰り返し検出することと、
前記検出された圧力および流量に基づいて瞬間断線パラメータをプロセッサ内において繰り返し計算することと、
前記プロセッサにより連続する瞬間断線パラメータを比較して、前記瞬間断線パラメータの変動性レベルを経時的に決定することと、
前記変動性レベルに基づいて前記プロセッサにより回路断線イベントの発生を検出することと、
を含む、方法。
【請求項４７】
前記瞬間断線パラメータはコンダクタンス値である、請求項４６に記載の方法。
【請求項４８】
前記瞬間断線パラメータはインピーダンス値である、請求項４６に記載の方法。
【請求項４９】
前記患者回路を介して圧縮空気流れを患者へ供給するように構成された呼吸装置の患者回路について回路断線イベントの発生を検出するシステムであって、
１つ以上のセンサーによって検出された前記圧縮空気流れの圧力および流量を示すデータへアクセスするために少なくとも１つのプロセッサを有するコントローラであって、前記コントローラは、請求項１〜４８のうちいずれか一項に記載の方法を行うように構成される、コントローラ
を含む、システム。
【請求項５０】
請求項４９に記載のシステムを含み、
前記１つ以上のセンサーと、
前記圧縮空気流れを供給するように構成された圧力生成器と
をさらに含む、呼吸装置。 
【手続補正２】
【補正対象書類名】明細書
【補正対象項目名】発明の名称
【補正方法】変更
【補正の内容】
【発明の名称】呼吸装置の回路断線イベントの発生を検出する方法、そのシステム、及び呼吸装置
【手続補正３】
【補正対象書類名】明細書
【補正対象項目名】０４３０
【補正方法】変更
【補正の内容】
【０４３０】
よって、本技術の意図および範囲から逸脱することなく、例示的な実施例において多数の変更例が可能であり、また、他の配置が考案され得ることが理解されるべきである。
なお、出願当初の特許請求の範囲の記載は以下の通りである。
請求項１：
患者回路を介して圧縮空気流れを患者へ供給するように構成された呼吸装置の患者回路について回路断線イベントの発生を検出する方法であって、
前記患者回路の種類に基づいて断線設定を決定することと、
前記圧縮空気流れの圧力および流量を１つ以上のセンサーによって検出することと、
前記検出された圧力および流量に基づいて瞬間断線パラメータをプロセッサ内において計算することと、
前記プロセッサを用いて、前記断線設定の関数としての前記瞬間断線パラメータに基づいて回路断線イベントの発生を検出することと、
を含む、方法。
請求項２：
前記瞬間断線パラメータはコンダクタンス値である、請求項１に記載の方法。
請求項３：
前記瞬間断線パラメータはインピーダンス値である、請求項１に記載の方法。
請求項４：
前記断線設定は断線閾値であり、前記回路断線イベントの発生を検出することは、前記計算された瞬間断線パラメータを前記断線閾値と比較することを含む、請求項１〜３のうちいずれか一項に記載の方法。
請求項５：
前記断線設定はプロファイルであり、前記回路断線イベントの発生を検出することは、複数の計算された瞬間断線パラメータを前記プロファイルと比較することを含む、請求項１〜３のうちいずれか一項に記載の方法。
請求項６：
患者固有の情報を前記呼吸装置によって受信することおよび前記断線設定の決定の際に前記患者固有の情報を用いることをさらに含む、請求項１〜５のうちいずれか一項に記載の方法。
請求項７：
前記患者固有の情報は、患者の年齢、体重、身長および患者種類のうち１つ以上を含む、請求項６に記載の方法。
請求項８：
前記断線設定は、前記呼吸装置のメモリ中に保存されたルックアップテーブルから決定される、請求項１〜７のうちいずれか一項に記載の方法。
請求項９：
前記患者回路の種類を決定することをさらに含む、請求項１〜８のうちいずれか一項に記載の方法。
請求項１０：
前記患者回路の種類を前記呼吸装置のユーザインターフェースを介して受信することをさらに含む、請求項１〜８のうちいずれか一項に記載の方法。
請求項１１：
前記患者回路の種類は、空気回路の構成を含む、請求項１〜１０のうちいずれか一項に記載の方法。
請求項１２：
前記空気回路の構成は、通気型、非通気型、シングルリムならびにダブルリム、シングルリムならびにダブルリムのうち少なくとも１つである、請求項１１に記載の方法。
請求項１３：
前記患者回路の種類は、患者インターフェースの種類を含む、請求項１〜１２のうちいずれか一項に記載の方法。
請求項１４：
前記患者インターフェースの種類は、侵襲的、非侵襲的、通気型、および非通気型のうち少なくとも一項である、請求項１３に記載の方法。
請求項１５：
回路断線イベントの発生が検出された際、回路断線イベントが発生した旨を信号伝達することをさらに含む、請求項１〜１４のうちいずれか一項に記載の方法。
請求項１６：
前記回路断線イベントの発生が検出された際、前記回路断線イベントに対する応答を生成することをさらに含む、請求項１〜１５のうちいずれか一項に記載の方法。
請求項１７：
前記回路断線イベントに対する応答を生成することは、前記呼吸装置のディスプレイ上のメッセージを活性化させることを含む、請求項１６に記載の方法。
請求項１８：
前記回路断線イベントに対する応答を生成することは、断線警告を活性化させることを含む、請求項１６〜１７のうちいずれか一項に記載の方法。
請求項１９：
前記呼吸装置のユーザインターフェースは、ユーザ制御により前記断線警告を所定期間にわたってミュートするように構成される、請求項１８に記載の方法。
請求項２０：
前記回路断線イベントに対する応答を生成することに先行して、連続的に前記回路断線イベントの発生を所定期限まで検出することをさらに含む、請求項１６〜１９のうちいずれか一項に記載の方法。
請求項２１：
前記所定期限は、５秒〜６０秒の設定時間である、請求項２０に記載の方法。
請求項２２：
前記所定期限は所定数の呼吸である、請求項２０に記載の方法。
請求項２３：
前記所定期限は、前記呼吸装置のユーザインターフェースを介して調節可能である、請求項２０〜２２のうちいずれか一項に記載の方法。
請求項２４：
少なくとも呼吸１回毎に前記瞬間断線パラメータを計算することをさらに含む、請求項１〜２３のうちいずれか一項に記載の方法。
請求項２５：
前記瞬間断線パラメータを各呼吸の吸気フェーズから計算することをさらに含む、請求項２４に記載の方法。
請求項２６：
前記瞬間断線パラメータを各呼吸の吸気フェーズから少なくとも１回および各呼吸の呼気フェーズから少なくとも１回計算することをさらに含む、請求項２４に記載の方法。
請求項２７：
前記瞬間断線パラメータを所定の時間間隔で計算することをさらに含む、請求項１〜２４のうちいずれか一項に記載の方法。
請求項２８：
感度設定を決定することと、前記感度設定に基づいて前記断線設定を調節することとをさらに含む、請求項１〜２７のうちいずれか一項に記載の方法。
請求項２９：
デフォルト感度設定に従って前記患者回路の種類に基づいて前記感度設定を決定することをさらに含む、請求項２８に記載の方法。
請求項３０：
前記感度設定を試験フェーズから決定することをさらに含む、請求項２８に記載の方法。
請求項３１：
前記試験フェーズは、前記呼吸装置により呼吸治療を前記患者へ提供することに先行して発生する、請求項３０に記載の方法。
請求項３２：
前記試験フェーズは、前記呼吸装置による前記患者への呼吸治療の提供の最中に発生する、請求項３０に記載の方法。
請求項３３：
前記回路断線イベントの発生が前記試験フェーズから検出された際、前記回路断線イベントに対する応答を生成することをさらに含む、請求項３０〜３２のうちいずれか一項に記載の方法。
請求項３４：
前記感度設定は、前記呼吸装置のユーザインターフェースを介して所定範囲の設定から選択可能である、請求項２８〜３３のうちいずれか一項に記載の方法。
請求項３５：
前記所定範囲の設定は、１％〜１００％の値を含む、請求項３４に記載の方法。
請求項３６：
前記所定範囲の設定は、５％のインクリメントにて提供される５％〜９５％の値を含む、請求項３５に記載の方法。
請求項３７：
回路断線イベントの検出のための前記感度設定の値は、前記呼吸装置のディスプレイ上に提供される、請求項２８〜３６のうちいずれか一項に記載の方法。
請求項３８：
回路断線イベントの発生が検出された際、呼吸インジケータの監視により前記検出された発生を認定することをさらに含む、請求項１〜３７のうちいずれか一項に記載の方法。
請求項３９：
前記患者が未だ前記患者回路へ接続されている旨を呼吸インジケータが示す場合、前記回路断線イベントの前記検出された発生を偽として認定する、請求項３８に記載の方法。
請求項４０：
前記患者が未だ前記患者回路へ接続されている旨を呼吸インジケータが示さない場合、前記回路断線イベントの前記検出された発生を真として認定する、請求項３８〜３９のうちいずれか一項に記載の方法。
請求項４１：
前記呼吸インジケータは、以下の、
（ｉ）呼気労作を示す呼気流、
（ｉｉ）吸気労作を示す吸気流、
（ｉｉｉ）前記吸気フェーズから計算された瞬間断線パラメータを前記呼気フェーズから計算された瞬間パラメータと比較した時の差、
（ｉｖ）前記瞬間断線パラメータと、前記瞬間断線パラメータの先行値の計算された分散との比較、および
（ｖ）呼吸フェーズ内における前記瞬間断線パラメータの経時的な変化量、
のうち一項以上からなる、請求項３８に記載の方法。
請求項４２：
回路断線イベントの発生が検出された際、前記検出された流量を所定の閾値と比較して前記回路断線イベントの発生を確認することをさらに含む、請求項１〜４１のうちいずれか一項に記載の方法。
請求項４３：
回路断線イベントの発生の検出の後に前記患者への前記患者回路の再接続を検出することをさらに含む、請求項１〜４２のうちいずれか一項に記載の方法。
請求項４４：
前記患者回路の前記患者への再接続は、前記瞬間断線パラメータを第２の閾値と比較することにより検出される、請求項４３に記載の方法。
請求項４５：
前記患者回路の前記患者への再接続は、前記瞬間断線パラメータの急激な変化の検出によって検出される、請求項４３〜４４のうちいずれか一項に記載の方法。
請求項４６：
前記患者回路を介して圧縮空気流れを患者へ供給するように構成された呼吸装置の患者回路における回路断線イベントの発生を検出する方法であって、
前記圧縮空気流れの圧力および流量を１つ以上のセンサーによって繰り返し検出することと、
前記検出された圧力および流量に基づいて瞬間断線パラメータをプロセッサ内において繰り返し計算することと、
前記プロセッサにより連続する瞬間断線パラメータを比較して、前記瞬間断線パラメータの変動性レベルを経時的に決定することと、
前記変動性レベルに基づいて前記プロセッサにより回路断線イベントの発生を検出することと、
を含む、方法。
請求項４７：
前記瞬間断線パラメータはコンダクタンス値である、請求項４６に記載の方法。
請求項４８：
前記瞬間断線パラメータはインピーダンス値である、請求項４６に記載の方法。
請求項４９：
前記患者回路を介して圧縮空気流れを患者へ供給するように構成された呼吸装置の患者回路について回路断線イベントの発生を検出するシステムであって、
１つ以上のセンサーによって検出された前記圧縮空気流れの圧力および流量を示すデータへアクセスするために少なくとも１つのプロセッサを有するコントローラであって、前記コントローラは、
前記患者回路の種類に基づいて断線設定を決定することと、
前記アクセスされた圧力および流量を示すデータに基づいて瞬間断線パラメータを計算することと、
前記瞬間断線パラメータに基づいて回路断線イベントの発生を前記断線設定の関数として検出することと
を行うように構成される、コントローラ
を含む、システム。
請求項５０：
前記瞬間断線パラメータはコンダクタンス値である、請求項４９に記載のシステム。
請求項５１：
前記瞬間断線パラメータはインピーダンス値である、請求項４９に記載のシステム。
請求項５２：
前記断線設定は断線閾値であり、前記コントローラは、前記計算された瞬間断線パラメータを前記断線閾値と比較して回路断線イベントの発生を検出するように構成される、請求項４９〜５１のうちいずれか一項に記載のシステム。
請求項５３：
前記断線設定はプロファイルであり、前記コントローラは、複数の前記計算された瞬間断線パラメータを前記プロファイルと比較して回路断線イベントの発生を検出するように構成される、請求項４９〜５１のうちいずれか一項に記載のシステム。
請求項５４：
前記コントローラは、患者固有の情報を受信することと、前記患者固有の情報を用いて前記断線設定を決定することとを行うようにさら構成される、請求項４９〜５３のうちいずれか一項に記載のシステム。
請求項５５：
前記患者固有の情報は、患者の年齢、体重、身長および患者種類のうち１つ以上を含む、請求項５４に記載のシステム。
請求項５６：
前記コントローラは、前記呼吸装置のメモリ中に保存されたルックアップテーブルに基づいて前記断線設定を決定するように構成される、、請求項４９〜５５のうちいずれか一項に記載のシステム。
請求項５７：
前記コントローラは、前記患者回路の種類を決定するように構成される、請求項４９〜５６のうちいずれか一項に記載のシステム。
請求項５８：
前記コントローラは、前記患者回路の種類を前記呼吸装置のユーザインターフェースを介して受信するように構成される、請求項４９〜５６のうちいずれか一項に記載のシステム。
請求項５９：
前記患者回路の種類は空気回路の構成を含み、前記空気回路の構成は、侵襲的、非侵襲的、通気型、非通気型、シングルリムならびにダブルリムのうち１つ以上である、請求項４９〜５８のうちいずれか一項に記載のシステム。
請求項６０：
前記コントローラは、前記呼吸装置のユーザインターフェース上に回路接続状態の通知を提供するように構成される、請求項４９〜５９のうちいずれか一項に記載のシステム。
請求項６１：
前記コントローラは、前記呼吸装置のユーザインターフェース上にメッセージを活性化させることにより、前記回路断線イベントへの応答を生成するように構成される、請求項４９〜６０のうちいずれか一項に記載のシステム。
請求項６２：
前記コントローラは、断線警告を活性化させることにより、前記回路断線イベントへの応答を生成するように構成される、請求項４９〜６１のうちいずれか一項に記載のシステム。
請求項６３：
前記コントローラは、前記呼吸装置のユーザインターフェースのユーザ制御のユーザ活性化に応答して前記断線警告を所定期間にわたってミュートさせるように構成される、請求項６２に記載のシステム。
請求項６４：
前記コントローラは、回路断線イベントの発生が所定期限にわたって連続的に検出されるまで、前記断線警告の活性化を行わないように構成される、請求項６２〜６３のうちいずれか一項に記載のシステム。
請求項６５：
前記所定期限は、５秒〜６０秒の設定時間である、請求項６４に記載のシステム。
請求項６６：
前記所定期限は、所定数の呼吸である、請求項６４に記載のシステム。
請求項６７：
前記所定期限は調節可能である、請求項６４〜６６のうちいずれか一項に記載のシステム。
請求項６８：
前記コントローラは、前記瞬間断線パラメータを少なくとも呼吸当たり１回計算するように構成される、請求項４９〜６７のうちいずれか一項に記載のシステム。
請求項６９：
前記コントローラは、前記瞬間断線パラメータを各呼吸の吸気フェーズから計算するように構成される、請求項６８に記載のシステム。
請求項７０：
前記コントローラは、前記瞬間断線パラメータを各呼吸の吸気フェーズから少なくとも１回および各呼吸の呼気フェーズから少なくとも１回計算するように構成される、請求項６８に記載のシステム。
請求項７１：
前記コントローラは、前記瞬間断線パラメータを所定の時間間隔で計算するように構成される、請求項４９〜６８のうちいずれか一項に記載のシステム。
請求項７２：
前記コントローラは、感度設定を決定することと、前記断線設定の感度を前記感度設定に基づいて調節することとを行うようにさらに構成される、請求項４９〜６８のうちいずれか一項に記載のシステム。
請求項７３：
前記コントローラは、前記患者回路の種類に基づいてデフォルト感度設定を決定するように構成される、請求項７２に記載のシステム。
請求項７４：
前記コントローラは、前記感度設定を試験フェーズから決定するように構成される、請求項７２に記載のシステム。
請求項７５：
前記試験フェーズは、前記呼吸装置により呼吸治療を前記患者へ提供することに先行して発生する、請求項７４に記載のシステム。
請求項７６：
前記試験フェーズは、前記呼吸装置による前記患者への呼吸治療の提供の最中に発生する、請求項７４に記載のシステム。
請求項７７：
断線警告の活性化は、前記試験フェーズ時にディセーブルされる、請求項７４〜７６のうちいずれか一項に記載のシステム。
請求項７８：
前記感度設定は、前記呼吸装置のユーザインターフェースを介して所定範囲の設定から選択可能である、請求項７２〜７７のうちいずれか一項に記載のシステム。
請求項７９：
前記所定範囲の設定は、１％〜１００％の値を含む、請求項７８に記載のシステム。
請求項８０：
前記所定範囲の設定は、５％のインクリメントにて提供される５％〜９５％の値を含む、請求項７９に記載のシステム。
請求項８１：
感度設定通知は前記呼吸装置のディスプレイ上に提供され、前記感度設定通知は、前記決定された感度設定を用いて回路断線イベントが検出されたかの通知を提供する、請求項７２〜８０のうちいずれか一項に記載のシステム。
請求項８２：
前記コントローラは、前記回路断線イベントの決定された発生と同時に前記患者が未だ前記患者回路へ接続されている旨を示す呼吸インジケータを監視することにより、回路断線イベントの決定された発生を認定するようにさらに構成される、請求項４９〜８１のうちいずれか一項に記載のシステム。
請求項８３：
前記患者が未だ前記患者回路へ接続されている旨を呼吸インジケータが示す場合、前記コントローラは、前記回路断線イベントの前記決定された発生を偽として認定するように構成される、請求項８２に記載のシステム。
請求項８４：
前記患者が未だ前記患者回路へ接続されている旨を呼吸インジケータが示さない場合、前記コントローラは、前記回路断線イベントの前記決定された発生を真として認定するように構成される、請求項８２〜８３のうちいずれか一項に記載のシステム。
請求項８５：
前記呼吸インジケータは、以下の、
（ｉ）呼気労作を示す呼気流、
（ｉｉ）吸気労作を示す吸気流、
（ｉｉｉ）前記吸気フェーズから計算された瞬間断線パラメータを前記呼気フェーズから計算された瞬間パラメータと比較した時の差、
（ｉｖ）前記瞬間断線パラメータと、前記瞬間断線パラメータの先行値の計算された分散との比較。および
（ｖ）呼吸フェーズ内における前記瞬間断線パラメータの経時的な変化量、
のうち１つ以上からなる、請求項８２〜８４のうちいずれか一項に記載のシステム。
請求項８６：
前記コントローラは、回路断線イベントの発生の検出後、前記流量を所定の閾値と比較して前記回路断線の発生イベントを確認するようにさらに構成される、請求項４９〜８５のうちいずれか一項に記載のシステム。
請求項８７：
前記コントローラは、回路断線イベントの発生の検出後に前記患者回路の前記患者への再接続を検出するようにさらに構成される、請求項４９〜８６のうちいずれか一項に記載のシステム。
請求項８８：
前記患者回路の前記患者への再接続は、前記瞬間断線パラメータを第２の閾値と比較することにより、検出される、請求項８７に記載のシステム。
請求項８９：
前記患者回路の前記患者への再接続は、前記瞬間断線パラメータの急激な変化により、検出される、請求項８７〜８８のうちいずれか一項に記載のシステム。
請求項９０：
請求項４９〜８９のうちいずれか一項に記載のシステムを含む呼吸装置であって：
前記１つ以上のセンサー；および
前記圧縮空気流れを供給するように構成された圧力生成器をさらに含む、呼吸装置。
請求項９１：
吸気フェーズおよび呼気フェーズを含む連続する呼吸サイクルにおいて呼吸治療を患者呼吸へ提供するように構成された呼吸治療システムであって、
圧縮空気流れを供給するように構成された圧力生成器であって、前記圧力生成器は、前記圧力生成器からの前記圧縮空気を前記患者へ送達させるように空気回路を介して患者インターフェースへ接続するように構成される、圧力生成器と、
前記圧縮空気流れの圧力および流量を示す１つ以上の信号を提供するように構成された少なくとも１つのセンサーと、
プロセッサを含むコントローラであって、
瞬間圧力値および瞬間流量値を前記少なくとも１つのセンサーからの前記１つ以上の信号から繰り返し検出することと、
前記瞬間圧力値および瞬間流量値に基づいて瞬間コンダクタンス値を繰り返し計算することと、
前記瞬間コンダクタンス値の変化を経時的に監視して、前記システム内における呼吸イベントの発生を検出することと、
を行うように構成される、コントローラと
を含む、システム。
請求項９２：
前記呼吸イベントは閉塞である、請求項９１に記載の呼吸システム。
請求項９３：
前記閉塞は、前記瞬間コンダクタンスが所定の閾値を下回ったときに検出される、請求項９２に記載の呼吸システム。
請求項９４：
前記閉塞は、前記瞬間コンダクタンスが経時的に不変のままであるときに検出される、請求項９２に記載の呼吸システム。
請求項９５：
前記閉塞は、前記空気回路、前記患者インターフェースまたは前記患者の気道中において発生する、請求項９２〜９４のうちいずれか一項に記載の呼吸システム。
請求項９６：
前記呼吸イベントは、容量目標モード時の流れ枯渇である、請求項９１に記載の呼吸システム。
請求項９７：
前記流れ枯渇は、呼吸サイクルの吸気フェーズにわたる前記瞬間コンダクタンス値のプロファイルの関数として検出される、請求項９６に記載の呼吸システム。
請求項９８：
前記流れ枯渇は、瞬間コンダクタンス値が前記吸気フェーズの終期部分と比較して前記吸気フェーズの早期から中期の吸気部分において高いときに検出される、請求項９７に記載の呼吸システム。
請求項９９：
前記流れ枯渇は、（ａ）呼吸サイクルの吸気フェーズから計算された瞬間コンダクタンス値と、（ｂ）コンダクタンス閾値との比較によって検出される、請求項９６に記載の呼吸システム。
請求項１００：
前記流れ枯渇は、前記呼吸サイクルの吸気フェーズから計算された瞬間コンダクタンス値が前記コンダクタンス閾値を超えたときに検出される、請求項９９に記載の呼吸システム。
請求項１０１：
前記呼吸イベントが検出されると、前記コントローラは、前記呼吸イベントの発生を示すメッセージを活性化させるように構成される、請求項９１〜１００に記載の呼吸システム。
請求項１０２：
吸気フェーズおよび呼気フェーズを含む連続する呼吸サイクルにおいて呼吸治療を患者呼吸へ提供するように構成された呼吸治療システムであって、
圧縮空気流れを供給するように構成された圧力生成器であって、前記圧力生成器は、前記圧力生成器からの前記圧縮空気を前記患者へ送達させるように空気回路を介して患者インターフェースへ接続するように構成される、圧力生成器と、
前記圧縮空気流れの圧力および流量を示す１つ以上の信号を提供するように構成された少なくとも１つのセンサーと、
プロセッサを含むコントローラであって、
瞬間圧力値および瞬間流量値を前記少なくとも１つのセンサーからの前記１つ以上の信号から繰り返し検出することと、
前記瞬間圧力値および瞬間流量値に基づいて瞬間コンダクタンス値を繰り返し計算することと、
前記瞬間コンダクタンス値の変化を経時的に監視して、前記呼吸治療を監視することと、
を行うように構成される、プロセッサを含むコントローラと
を含む、呼吸治療システム。
請求項１０３：
前記コントローラは、前記吸気フェーズの開始部分および前記吸気フェーズの終期部分から計算された瞬間コンダクタンス値から計算された瞬間コンダクタンス値のレベル差を決定する、請求項１０２に記載の呼吸システム。
請求項１０４：
前記コントローラは、前記レベル差に基づいて立上がり時間設定を調節するように構成される、請求項１０３に記載の呼吸システム。
請求項１０５：
前記コントローラは、前記レベル差に基づいてピーク吸気流設定を調節するように構成される、請求項１０３に記載の呼吸システム。
請求項１０６：
前記コントローラは、前記瞬間コンダクタンス値を経時的に監視して１つ以上の呼吸サイクルの吸気フェーズおよび呼気フェーズを決定するように構成される、請求項１０２に記載の呼吸システム。
請求項１０７：
前記コントローラは、前記瞬間コンダクタンス値を経時的に監視して不十分な通気流れ状態を検出するように構成される、請求項１０２に記載の呼吸システム。
請求項１０８：
前記コントローラは、前記不十分な通気流れ状態を最近の基準コンダクタンス値と比較して異常に低いコンダクタンス値として検出するように構成される、請求項１０７に記載の呼吸システム。
請求項１０９：
吸気フェーズおよび呼気フェーズを含む連続する呼吸サイクルにおいて呼吸治療を患者呼吸へ提供するように構成された呼吸治療システムであって、
圧縮空気流れを供給するように構成された圧力生成器であって、前記圧力生成器は、前記圧力生成器からの前記圧縮空気を前記患者へ送達させるように空気回路を介して患者インターフェースへ接続するように構成される、圧力生成器と、
前記圧縮空気流れの圧力および流れを示す１つ以上の信号を提供するように構成された少なくとも１つのセンサーと、
プロセッサを含むコントローラであって、
瞬間圧力値および瞬間流量値を前記少なくとも１つのセンサーからの前記１つ以上の信号から繰り返し検出することと、
前記瞬間圧力値および瞬間流量値に基づいて瞬間インピーダンス値を繰り返し計算することと、
前記瞬間インピーダンス値の変化を経時的に監視して、前記システム内における呼吸イベントの発生を検出することと、
を行うように構成されたプロセッサと、
を含むコントローラと、
を含む、呼吸治療システム。
請求項１１０：
前記呼吸イベントは閉塞である、請求項１０９に記載の呼吸システム。
請求項１１１：
前記閉塞は、前記瞬間インピーダンスが所定の閾値を超えたときに検出される、請求項１１０に記載の呼吸システム。
請求項１１２：
前記閉塞は、前記瞬間インピーダンスが経時的に実質的に変化しないままであるときに検出される、請求項１１０に記載の呼吸システム。
請求項１１３：
前記閉塞は、前記空気回路、前記患者インターフェースまたは前記患者の気道中において発生する、請求項１１０〜１１２のうちいずれか一項に記載の呼吸システム。
請求項１１４：
前記呼吸イベントは、容量目標モード時の流れ枯渇である、請求項１０９に記載の呼吸システム。
請求項１１５：
前記流れ枯渇は、呼吸サイクルの吸気部分における瞬間インピーダンス値のプロファイルの関数として検出される、請求項１１４に記載の呼吸システム。
請求項１１６：
前記流れ枯渇は、瞬間インピーダンス値が前記吸気フェーズの終期部分においてよりも前記吸気フェーズの早期から中期の吸気部分において低くなったときに検出される、請求項１１５に記載の呼吸システム。
請求項１１７：
前記流れ枯渇は、呼吸サイクルの吸気フェーズから計算された瞬間インピーダンス値と、インピーダンス閾値との比較によって検出される、請求項１１４に記載の呼吸システム。
請求項１１８：
前記流れ枯渇は、前記呼吸サイクルの前記吸気フェーズから計算された前記瞬間インピーダンス値が前記インピーダンス閾値を下回ったときに検出される、請求項１１７に記載の呼吸システム。
請求項１１９：
前記呼吸イベントが検出されると、前記コントローラは、前記呼吸イベントの発生を示すメッセージを提供するように構成される、請求項１０９〜１１８のうちいずれか一項に記載の呼吸システム。
請求項１２０：
吸気フェーズおよび呼気フェーズを含む連続する呼吸サイクルにおいて呼吸治療を患者呼吸へ提供するように構成された呼吸治療システムであって、
圧縮空気流れを供給するように構成された圧力生成器であって、前記圧力生成器は、前記圧力生成器からの前記圧縮空気を前記患者へ送達させるように空気回路を介して患者インターフェースへ接続するように構成される、圧力生成器と、
前記圧縮空気流れの圧力および流量を示す１つ以上の信号を提供するように構成された少なくとも１つのセンサーと、
プロセッサを含むコントローラであって、
前記少なくとも１つのセンサーからの前記１つ以上の信号から瞬間圧力および瞬間流量の値を繰り返し検出することと、
前記瞬間圧力値および瞬間流量値に基づいて瞬間インピーダンス値を繰り返し計算することと、
前記瞬間インピーダンス値の変化を経時的に監視して、前記呼吸治療を監視することと、
を行うように構成されたプロセッサを含むコントローラと
を含む、呼吸治療システム。
請求項１２１：
前記コントローラは、前記吸気フェーズの開始部分から計算された瞬間インピーダンス値と、前記吸気フェーズの終期部分から計算された瞬間インピーダンス値との間のレベル差を計算する、請求項１２０に記載の呼吸システム。
請求項１２２：
前記コントローラは、前記レベル差に基づいて立上がり時間設定を調節するように構成される、請求項１２１に記載の呼吸システム。
請求項１２３：
前記コントローラは、前記レベル差に基づいてピーク吸気流設定を調節するように構成される、請求項１２１に記載の呼吸システム。
請求項１２４：
前記コントローラは、前記瞬間インピーダンス値を経時的に監視して、各呼吸サイクルの患者の吸気フェーズおよび呼気フェーズを決定するように構成される、請求項１２０に記載の呼吸システム。
請求項１２５：
前記コントローラは、前記瞬間インピーダンス値を経時的に監視して、不十分な通気流れ状態を検出するように構成される、請求項１２０に記載の呼吸システム。
請求項１２６：
前記コントローラは、不十分な通気流れ状態を最近の基準インピーダンス値と比較して異常に高いインピーダンス値として検出するように構成される、請求項１２５に記載の呼吸システム。